(57)【要約】      （修正有）【課題】水分を床下空間へ排水可能な剛床構造と、これを構成するための排水断熱パネルを提案する。【解決手段】土台及び該土台と直角に剛床束上に固定された大引き、大引きと直角に横架された補助大引きを含む横梁が、相互に交差して複数の長方形状空隙部が区画され、横梁上に構造用合板を配置する剛床構造において、一面１４と他面１６とが側端面１８により画された平面状の断熱パネル１０が、一面を上方にして構造用合板に接するように長方形状空隙部に嵌合される剛床構造であって、少なくとも断熱パネルの側端面と長方形状空隙部を区画する横梁間に排水層が設けられ、排水層が、断熱パネルの一面側から侵入した水分を他面側へ排水可能である。【選択図】図１
2019152011.tif 000002
【特許請求の範囲】
【請求項１】
一面と他面とが側端面により画された平面状の断熱パネルの少なくとも該側端面に、排水層が設けられた排水断熱パネル。
【請求項２】
前記排水層は、
前記断熱パネルの前記側端面に貼着被覆された吸水性繊維からなる、請求項１に記載の排水断熱パネル。
【請求項３】
前記吸水性繊維は、貼着部と剰余部とから成り、
前記側端面が該貼着部に貼着被覆され、剰余部が前記一面側及び／又は前記他面側に余剰した、請求項２に記載の排水断熱パネル。
【請求項４】
前記一面側及び／又は前記他面側に余剰した前記剰余部が、該一面及び／又は該他面に貼着された、請求項３に記載の排水断熱パネル。
【請求項５】
土台及び該土台と直角に剛床束上に固定された大引き、該大引きと直角に横架された補助大引きを含む横梁が、相互に交差して複数の長方形状空隙部が区画され、該横梁上に構造用合板を配置する剛床構造において、
請求項１乃至請求項４の何れかに記載の排水断熱パネルが、前記一面を上方にして前記構造用合板に接するように前記長方形状空隙部に嵌合されて、
前記排水断熱パネルの前記排水層が、該排水断熱パネルの前記一面側から侵入した水分を前記他面側へ排水可能な排水剛床構造。
【請求項６】
前記長方形状空隙部に嵌合された請求項１乃至請求項４の何れかに記載の排水断熱パネルが、
該長方形状空隙部を区画する横梁に固定手段により固定され、嵌合された該長方形状空隙部に固定された、請求項５に記載の排水剛床構造。
【請求項７】
前記長方形状空隙部に嵌合された請求項３に記載の排水断熱パネルの前記一面側に余剰した前記剰余部が、該長方形状空隙部を区画する横梁と該横梁上に配置された前記構造用合板間に挟持された、請求項６に記載の排水剛床構造。
【請求項８】
土台及び該土台と直角に剛床束上に固定された大引き、該大引きと直角に横架された補助大引きを含む横梁が、相互に交差して複数の長方形状空隙部が区画され、該横梁上に構造用合板を配置する剛床構造において、
一面と他面とが側端面により画された平面状の断熱パネルが、該一面を上方にして前記構造用合板に接するように前記長方形状空隙部に嵌合される剛床構造であって、
少なくとも前記断熱パネルの側端面と前記長方形状空隙部を区画する横梁間に排水層が設けられ、
該排水層が、該断熱パネルの前記一面側から侵入した水分を前記他面側へ排水可能な排水剛床構造。
【請求項９】
請求項８に記載の排水剛床構造において、
前記排水層は、
前記横梁の、前記断熱パネルと接する側面と前記構造用合板と接する上面とに被覆された吸水性繊維である排水剛床構造。
【発明の詳細な説明】
【技術分野】
【０００１】
本発明は、建物の基礎上に構築する排水剛床構造と、この排水剛床構造に利用可能な排水断熱パネルに関する。
【背景技術】
【０００２】
図９は、剛床構造１００の斜視概略図である。地面に打設された基礎コンクリートの周縁に沿って、布基礎１２０が立設され、布基礎１２０で囲まれた空間には剛床束１２２が立設される。布基礎１２０上には土台１０２（横梁）が横架され、複数本の柱が土台１０２上に立設される。また、剛床束１２２上には、土台１０２と平行又は直角方向に大引き１０４（横梁）が固定される。そして、この大引き１０４に直角に補助大引き１０６が横架され、土台１０２と大引き１０４と補助大引き１０６の総称である横梁１０８が相互に交差して複数の長方形状空隙部１０１が区画され、当該横梁１０８（土台１０２、大引き１０４、補助大引き１０６）上に構造用合板１１０を配置する。
【０００３】
上述のような剛床構造１００においては屋内温度保持のため、図１０（ａ）のように、構造用合板１１０の下に断熱パネル１１２を敷設するのが一般的である。断熱パネル１１２は長方形状空隙部１０１に嵌合され、その側面が密接する横梁１０８（土台１０２、大引き１０４、補助大引き１０６）に、固定手段により固定される。以下、本明細書においては、構造用合板１１０の下で長方形状空隙部１０１に嵌合される断熱パネル１１２を含めて剛床構造１００という。
【０００４】
剛床構造１００は、木造建造物を建築する際、基礎コンクリート状の布基礎１２０が立設された後、真っ先に形成されるが、その次工程は剛床構造１００形成後、通常はその翌日から着手される。そのため、完成した剛床構造１００は少なくとも一晩から長ければ数日間風雨に曝されることになり、剛床構造１００の浸水が問題となっていた。
【０００５】
すなわち、図１０（ｂ）のように、構造用合板１１０間のわずかな隙間から雨水や夜露が隣接する構造用合板１１０間、更には構造用合板１１０と断熱パネル１１２間に侵入してしまう。このように構造用合板１１０と断熱パネル１１２間に侵入した水分は、断熱パネル１１２と構造用合板１１０間に停留し、後で取り除くことができず、構造用合板１１０の腐食やカビの発生を招くという問題があった。
【０００６】
剛床構造１００については種々の発明がなされており、特許文献１、２等のように建造物全体の通風性に関するものは多いが、上記のような剛床構造１００への浸水対策に関するものは発見することができない。
【０００７】
【特許文献１】特許３９８５９６７号公報
【特許文献２】特開２００６−１２５０４２号公報
【発明の概要】
【発明が解決しようとする課題】
【０００８】
そこで、本発明は、水分を床下空間へ排水可能な剛床構造と、これを構成するための排水断熱パネルを提案する。
【課題を解決するための手段】
【０００９】
本発明に係る排水断熱パネルは、一面と他面とが側端面により画された平面状の断熱パネルの少なくとも該側端面に、排水層が設けられた排水断熱パネルである。
【００１０】
本発明に係る排水断熱パネルにおいて、排水層は、前記断熱パネルの前記側端面に貼着被覆された吸水性繊維であってよい。
【００１１】
本発明に係る排水断熱パネルにおいて、前記吸水性繊維は、貼着部と剰余部とから成り、前記側端面が該貼着部に貼着被覆され、剰余部が前記一面側及び／又は前記他面側に余剰していてよい。
【００１２】
本発明に係る排水断熱パネルは、前記一面側及び／又は前記他面側に余剰した前記剰余部が、該一面及び／又は該他面に貼着されていてもよい。
【００１３】
本発明に係る排水剛床構造は、土台及び該土台と直角に剛床束上に固定された大引き、該大引きと直角に横架された補助大引きを含む横梁が、相互に交差して複数の長方形状空隙部が区画され、該横梁上に構造用合板を配置する剛床構造において、
上記排水断熱パネルが、前記一面を上方にして前記構造用合板に接するように前記長方形状空隙部に嵌合されて、前記排水断熱パネルの前記排水層が、該排水断熱パネルの前記一面側から侵入した水分を前記他面側へ排水可能である。
【００１４】
本発明に係る排水剛床構造は、前記長方形状空隙部に嵌合された上記排水断熱パネルが、該長方形状空隙部を区画する横梁に、固定手段により固定され、嵌合された該長方形状空隙部に固定されてもよい。
【００１５】
本発明に係る排水剛床構造は、前記長方形状空隙部に嵌合された上記排水断熱パネルの前記一面側に余剰した前記剰余部が、該長方形状空隙部を区画する横梁と該横梁上に配置された前記構造用合板間に挟持されてもよい。
【００１６】
本発明に係る排水剛床構造は、前記長方形状空隙部に嵌合された上記排水断熱パネルの前記他面側に余剰した前記剰余部が、該長方形状空隙部を区画する横梁に沿って下方に垂下されてもよい。
【００１７】
本発明に係る排水剛床構造は、土台及び該土台と直角に剛床束上に固定された大引き、該大引きと直角に横架された補助大引きを含む横梁が、相互に交差して複数の長方形状空隙部が区画され、該横梁上に構造用合板を配置する剛床構造において、
一面と他面とが側端面により画された平面状の断熱パネルが、該一面を上方にして前記構造用合板に接するように前記長方形状空隙部に嵌合される剛床構造であって、
少なくとも前記断熱パネルの側端面と前記長方形状空隙部を区画する横梁間に排水層が設けられ、該排水層が、該断熱パネルの前記一面側から侵入した水分を前記他面側へ排水可能な剛床構造である。
【００１８】
本発明に係る排水剛床構造において、前記排水層は、前記横梁の、前記断熱パネルと接する側面と前記構造用合板と接する上面とに被覆された吸水性繊維であってよい。
【発明の効果】
【００１９】
本発明に係る排水断熱パネルは、断熱パネルの側端面に排水層を形成するので、断熱パネルの一面側又は他面側から水分を吸収して他面側又は一面側へ排水することができる。
【００２０】
本発明の排水断熱パネルは、断熱パネルの側端面に吸水性繊維の貼着部を貼着被覆して容易に形成することができる。この吸水性繊維は、上記貼着部の上下、すなわち断熱パネルの一面側及び他面側に剰余部を含んで構成してもよく、あるいは、断熱パネルの一面側又は他面側のいずれか一方側に余剰していてもよいし、又は吸水性繊維は剰余部が無く貼着部のみであってもよい。
【００２１】
剰余部の両方を、断熱パネルの一面と他面の両面に貼着させると、商品としてコンパクトで扱いやすいという利点がある。また、剰余部の一方又は両方を、断熱パネルの一面や他面に貼着させずに余剰させておく場合は、この排水断熱パネルを使用する場面において、剰余部を水の溜まりやすい場所に広げて効率的に吸水を行うことができる。また、剰余部を下方に垂下させて用いれば、吸水性繊維（排水層）が吸水した水分を効率的に下方に排水することができる。
【００２２】
また、本発明に係る排水剛床構造は、横梁（土台、大引き、補助大引き）上に構造用合板を配置する従来の剛床構造を改良した構造であり、横梁が相互に交差して形成する長方形状空隙部に断熱パネルが嵌合される断熱剛床構造に、排水機能を付与するものである。すなわち、本発明の排水剛床構造は、少なくとも断熱パネルの側端面と長方形状空隙部を区画する横梁間に排水層が設けられ、排水層が、断熱パネルの一面側から侵入した水分を他面側へ排水することができる。
【００２３】
本発明に係る排水剛床構造は、例えば、上記の吸水性繊維を貼着させた本発明の排水断熱パネルを、長方形状空隙部に嵌合させて、容易に形成することができる。排水断熱パネルの側端面に貼着させた吸水性繊維が、排水断熱パネルの上方に侵入した水分を吸収して、床下空間側に排水することができる。
【００２４】
あるいは、本発明に係る排水剛床構造は、横梁の側面と上面とに吸水性繊維を被覆し、断熱パネルを横梁の側面に被覆した吸水性繊維と接するように長方形状空隙部に嵌合・固定し、横梁の上面に被覆した吸水性繊維の上方から構造用合板を横梁に固定して形成することもできる。このような構成の本発明の排水剛床構造は、隣接する構造用合板間の隙間から侵入する水分をより効果的に吸収して床下空間側に排水することができ、構造用合板下の水分の滞留を防ぐことができる。
【図面の簡単な説明】
【００２５】
【図１】本発明に係る排水断熱パネルの平面図。
【図２】（ａ）本発明の実施例に係る排水断熱パネルの正面図（断面図）、（ｂ）実施例に係る他の実施形態に係る排水断熱パネルの正面図（断面図）、（ｃ）実施例に係る更に他の実施形態に係る排水断熱パネルの正面図（断面図）。
【図３】（ａ）本発明に係る剛床構造の断面図、（ｂ）本発明の他の実施形態に係る剛床構造の断面図。
【図４】本発明に係る排水断熱パネルの分解図。
【図５】本発明の実施例に係る排水断熱パネルの斜視図。
【図６】（ａ）本発明に係る剛床構造の分解断面図、（ｂ）本発明に係る剛床構造の断面図。
【図７（ａ）】横梁を組んで形成した長方形状空隙部に断熱パネル（左）と本発明に係る排水断熱パネル（右）を嵌合・固定した剛床構造の上方から水を侵入させる比較実験における、断熱パネル（左）と本発明に係る排水断熱パネル（右）の上面斜視図。
【図７（ｂ）】横梁を組んで形成した長方形状空隙部に断熱パネル（左）と本発明に係る排水断熱パネル（右）を嵌合・固定した剛床構造の上方から水を侵入させる比較実験における、（ｂ）断熱パネル（左）と本発明に係る排水断熱パネル（右）の下面斜視図。
【図７（ｃ）】横梁を組んで形成した長方形状空隙部に断熱パネル（左）と本発明に係る排水断熱パネル（右）を嵌合・固定した剛床構造の上方から水を侵入させる比較実験における、構造用合板の上方から水を滴下させて構造用合板間の境界（隙間）から水を侵入させる前の剛床構造の上面斜視図。
【図７（ｄ）】横梁を組んで形成した長方形状空隙部に断熱パネル（左）と本発明に係る排水断熱パネル（右）を嵌合・固定した剛床構造の上方から水を侵入させる比較実験における、構造用合板間の境界（隙間）から水を侵入させた後の左右の構造用合板の上面（一面側）斜視図。
【図８】（ａ）実施例に係る実験装置の斜視図、（ｂ）実施例に係る実験装置の平面図、（ｃ）実施例に係る実験装置の正面図。
【図９】従来の剛床構造の斜視分解図。
【図１０】（ａ）従来の剛床構造の断面図、（ｂ）従来の剛床構造の拡大断面図。
【発明を実施するための最良の形態】
【００２６】
以下、図面を参照しながら、本発明に係る排水断熱パネル１０の実施形態について説明する。なお、以下各図面を通して同一の構成要素には同一の符号を使用するものとする。
Ｉ．排水断熱パネル
【００２７】
本発明に係る排水断熱パネル１０は、図１に示す平面図のように、一面１４と他面１６とが側端面１８により画された平面状の断熱パネル１２の少なくとも側端面１８に、排水層２０が設けられた排水断熱パネル１０である。
【００２８】
排水断熱パネル１０は、主として床下や壁、天井などの断熱材として用いられ、排水断熱パネル１０及び断熱パネル１２の形状は、長方形、正方形、円形など任意の形状をとることができる。また、排水層２０は、断熱パネル１２の少なくとも側端面１８に、フロッキー加工等で吸水性繊維粒子を吹き付けたり、吸水性繊維を貼付したりすることで形成することができる。
【００２９】
断熱パネル１２を構成する断熱材は、発泡性合成樹脂材により形成するのが好適であり、いわゆる発泡スチロール材や発泡ウレタン材、発泡フェノール材等により形成してもよいが、断熱性能があれば材料は特に限定されない。また、上記吸水性繊維は、ポリエステルから成る繊維を用いるのが望ましいが、その材料は特に限定されず、吸水性であれば特に限定されない。
【実施例１】
【００３０】
図５に示す実施例１に係る排水断熱パネル１０は、断熱パネル１２の側端面１８に吸水性繊維２２を貼着被覆して、排水層２０を形成している。
【００３１】
実施例１で用いる吸水性繊維２２は、図４下図のように、断熱パネル１２の側端面１８に貼着被覆される貼着部２２ａの他、断熱パネル１２の一面１４側及び他面１６側に余剰する剰余部２２ｂを含んでもよい。剰余部２２ｂは、図示しないが、一面１４側又は他面１６側のいずれか一方側に余剰していてもよいし、あるいは吸水性繊維２２は剰余部２２ｂが無く貼着部２２ａのみであってもよい。また、断熱パネル１２の側端面１８に貼着被覆される貼着部２２ａは必然的に側端面１８と同様で、例えば図４下図のような帯状であるが、剰余部２２ｂの形状は特に限定されず、使用態様に応じて任意の形状を選択することができる。
【００３２】
図２（ａ）〜（ｃ）は、貼着部２２ａの上下に剰余部２２ｂを有する吸水性繊維２２を用いた、本実施例１に係る排水断熱パネル１０の正面図（断面図）を表す。貼着部２２ａが断熱パネル１２の側端面１８に貼着被覆される排水断熱パネル１０は、図２（ａ）のように剰余部２２ｂを断熱パネル１２の一面１４や他面１６に貼着させずに余剰させておいてもよいが、図２（ｂ）、（ｃ）のように剰余部２２ｂの一方又は両方を、一面１４や他面１６に貼着して用いてもよい。
【００３３】
図２（ｃ）のように剰余部２２ｂの両方を、断熱パネル１２の一面１４や他面１６に貼着させると、商品としてコンパクトで扱いやすいという利点がある。また、図２（ａ）、（ｂ）のように剰余部２２ｂの一方又は両方を、断熱パネル１２の一面１４や他面１６に貼着させずに余剰させておく場合は、この排水断熱パネル１０を使用する場面において、剰余部２２ｂを水の溜まりやすい場所に広げて効率的に吸水を行うことができる。また、剰余部２２ｂを下方に垂下させて用いれば、吸水性繊維２２（排水層２０）が吸水した水分を効率的に下方に排水することができる。
【００３４】
このような本発明に係る排水断熱パネル１０は、例えば床下構造に用いて、上方に配置した排水断熱パネル１０の一面１４側から発露などで侵入した水分を、その側端面１８に設けた排水層２０を通して床下空間（図１０（ａ）、（ｂ）参照）に排水することが可能である。
ＩＩ．排水剛床構造
【００３５】
本発明に係る排水剛床構造１は、図９に示す、土台１０２及び土台１０２と直角に剛床束（鋼製束）１２２上に固定された大引き１０４、大引き１０４と直角に横架された補助大引き１０６を含む横梁１０８が、相互に交差して複数の長方形状空隙部１０１が区画され、横梁１０８上に構造用合板１１０を配置する従来の剛床構造を改良した構造である。本発明の排水剛床構造１は、一面１４と他面１６とが側端面１８により画された平面状の断熱パネル１２が、一面１４を上方にして構造用合板１１０に接するように長方形状空隙部１０１に嵌合される断熱剛床構造に、排水機能を付与するものである。
【００３６】
本発明に係る排水剛床構造１は、図６（ａ）、（ｂ）のように、少なくとも断熱パネル１２の側端面１８と長方形状空隙部１０１を区画する横梁１０８間に排水層２０が設けられ、排水層２０が、断熱パネル１２の一面１４側から侵入した水分を他面１６側へ排水可能である。
【実施例２】
【００３７】
図６（ｂ）に示す本実施例２に係る排水剛床構造１において、排水層２０は、横梁１０８の、断熱パネル１２と接する側面と構造用合板１１０と接する上面とに被覆された吸水性繊維２２である。
【００３８】
本実施例２に係る排水剛床構造１は、図６（ａ）に示すように、横梁１０８の側面と上面とに吸水性繊維２２を被覆し、断熱パネル１２を横梁１０８の側面に被覆した吸水性繊維２２と接するように長方形状空隙部１０１に嵌合・固定し、横梁１０８の上面に被覆した吸水性繊維２２の上方から構造用合板１１０を横梁１０８に固定して形成することができる。
【００３９】
本実施例２に係る排水剛床構造１は、図６（ａ）、（ｂ）のように、少なくとも断熱パネル１２の側端面１８と横梁１０８間に形成された吸水性繊維２２（排水層２０）が、構造用合板１１０間の隙間などから侵入した水分を床下空間側へ排水することができる。
【実施例３】
【００４０】
このような本発明に係る排水剛床構造１は、上述した本発明の排水断熱パネル１０を用いて形成することもできる。
【００４１】
図３（ａ）、（ｂ）に示す本実施例３に係る排水剛床構造１は、上記図１０のような従来の剛床構造１００と略同一構成である。すなわち、土台１０２及び土台１０２と直角に剛床束１２２上に固定された大引き１０４、大引き１０４と直角に横架された補助大引き１０６を含む横梁１０８が、相互に交差して複数の長方形状空隙部１０１が区画され、横梁１０８上に構造用合板１１０を配置し（図９参照）、長方形状空隙部１０１に断熱パネル１１２を嵌合・固定する。
【００４２】
しかし、本発明に係る排水剛床構造１においては、従来の剛床構造１００で用いる断熱パネル１１２に替えて、本発明に係る排水断熱パネル１０を用いる。すなわち、排水断熱パネル１０が、一面１４（又は他面１６）を上方にして構造用合板１１０に接するように長方形状空隙部１０１に嵌合されて、固定手段により横梁１０８に固定される。排水断熱パネル１０の排水層２０が、排水断熱パネル１０の一面１４（又は他面１６）側から侵入した水分を他面１６（又は一面１４）側へ排水させて、床下空間に水分を排水することができる。他面１６を上方にして水分を一面１４側へ排水させても同様であるので、以下図３（ａ）、（ｂ）に示す通り、一面１４を上方に、他面１６を下方（床下空間側）に配置することとする。
【００４３】
排水断熱パネル１０は、長方形状空隙部１０１を区画する横梁１０８に、Ｚ型固定具のような固定手段１１４により固定され、嵌合された長方形状空隙部１０１に嵌合される。ここで、固定手段１１４はＺ型固定具に限定されるわけではなく、適切な固定具、固定手段を適宜選択することができる。
【００４４】
図３（ａ）に係る排水剛床構造１は、上記図２（ｂ）の排水断熱パネル１０を長方形状空隙部１０１に嵌合・固定して得ることができる。あるいは、長方形状空隙部１０１に嵌合した上記図２（ａ）の排水断熱パネル１０の一面１４側に余剰した剰余部２２ｂを、長方形状空隙部１０１を区画する横梁１０８と横梁１０８上に配置された構造用合板１１０間に挟持させて得ることもできる。
【００４５】
また、図３（ｂ）に係る排水剛床構造１は、長方形状空隙部１０１に嵌合された上記図２（ａ）の排水断熱パネル１０の一面１４側に余剰した剰余部２２ｂが、長方形状空隙部１０１を区画する横梁１０８と横梁１０８上に配置された構造用合板１１０間に挟持された構造である。この図３（ｂ）に係る排水剛床構造１は、隣接する構造用合板１１０間の隙間から入り込む水分を、図３（ａ）に係る排水剛床構造１よりも排水層２０に誘導し易くなるという利点がある。
【００４６】
上記のような図３（ａ）及び図３（ｂ）に係る排水剛床構造１は、長方形状空隙部１０１に嵌合された排水断熱パネル１０の他面１６側に余剰した剰余部２２ｂが、長方形状空隙部１０１を区画する横梁１０８に沿って下方に垂下されているため、排水断熱パネル１０の一面１４側から侵入した水分を、排水層２０を介して、床下空間により逃がしやすいという利点を持っている。
【００４７】
なお、図示しないが、上記図２（ｃ）の排水断熱パネル１０を長方形状空隙部１０１に嵌合・固定しても、排水断熱パネル１０の一面１４側から侵入し、あるいは一面１４側に溜まった水分を、他面１６側へ排水させることができる。図２（ｃ）の排水断熱パネル１０は、剰余部２２ｂが一面１４と他面１６に貼着されているため、取り扱いが容易で施工時に剰余部２２ｂが邪魔にならないという利点を持っている。
【実施例４】
【００４８】
本実施例４では、図７（ａ）のように、横梁１０８を組んで形成した左右の長方形状空隙部１０１に、それぞれ断熱パネル１１２（左）と本発明に係る排水断熱パネル１０（右）とを嵌合・固定し、それぞれのパネルの上から図７（ｃ）のように左右２枚の構造用合板１１０を固定した剛床構造１を形成し、その上方から水を滴下させて剛床構造１内に水分を侵入させる比較実験を行った。
【００４９】
実験条件
（長方形状空隙部の寸法）３５０ｍｍ×７９０ｍｍ
（排水断熱パネル１０）３５０ｍｍ×７９０ｍｍ、厚さ８５ｍｍ、発泡スチロール（断熱材１２）の側端面１８にポリエステル１００％の吸水性繊維２２を貼着
（断熱パネル１１２）３５０ｍｍ×７９０ｍｍ、厚さ８５ｍｍ、発泡スチロール製
（構造用合板１１０）４５５ｍｍ×９１０ｍｍ、厚さ２４ｍｍ、針葉樹
（横梁１０８）８２７ｍｍ×１２０ｍｍ、厚さ１２０ｍｍ、杉
（使用した水量）２００ｃｃ
【００５０】
図７（ａ）は、断熱パネル１１２（左）と本発明に係る排水断熱パネル１０（右）の上面斜視図、図７（ｂ）は、断熱パネル１１２（左）と本発明に係る排水断熱パネル１０（右）の下面斜視図である。また、図７（ｃ）は、構造用合板１１０の上方から水を滴下させた直後の写真であり、構造用合板１１０間の境界（隙間）から水を侵入させる前の剛床構造１の上面斜視図を示し、図７（ｄ）は、構造用合板１１０間の境界（隙間）から水を侵入させた後の左右の構造用合板１１０の上面（一面側）斜視図である。
【００５１】
図７（ｃ）のように、構造用合板１１０の上方から滴下させた水は、構造用合板１１０間の境界（隙間）から侵入し、図７（ａ）の断熱パネル１１２（左）と本発明に係る排水断熱パネル１０（右）間の横梁１０８に達して左右の断熱パネル１１２（左）と排水断熱パネル１０方向に拡散する。
【００５２】
図７（ｄ）は、実験開始から１０分後の断熱パネル１１２（左）と本発明に係る排水断熱パネル１０（右）の上面（一面側）斜視図である。排水層２０を設けない左側の断熱パネル１１２上に固定した構造用合板１１０には、中央部分に水が浸入した形跡が残っているが、排水層２０を設けた本発明に係る排水断熱パネル１０（右）の上面には、横梁１０８に接していた左側部分を除いて水が浸入した形跡が残らなかった。したがって、本発明に係る排水断熱パネル１０の側端面１８に貼着した吸水性繊維２２（排水層２０）が、左側の横梁１０８側から侵入した水を吸収し、排水断熱パネル１０と構造用合板１１０間への水の侵入を防止できたことを確認することができた。
【実施例５】
【００５３】
図８（ａ）〜（ｃ）に示す実験装置を用いて、吸水性繊維２２の性能試験を行った。この台型実験装置は、図８（ａ）のように、台部が４本の脚部に支持されている。そして、図８（ｂ）のように、台部の中央部に設けた凹部に２本のスリットが平行して設けられており、吸水性繊維２２を凹部にセットして、吸水性繊維２２の両端を２本のスリットに通すことができる。２本のスリットに通した吸水性繊維２２の両端は、図８（ｃ）のように、下方に垂下させることができる。
【００５４】
実験条件
（台型実験装置の寸法）８０ｍｍ×２１０ｍｍ、高さ７５ｍｍ、断熱材（発泡スチロール）
（吸水性繊維２２）２０ｍｍ×２１０ｍｍ、厚さ０．０１８ｍｍ、ポリエステル製  
（アクリル板）１００ｍｍ×１６０ｍｍ、厚さ１０ｍｍ、アクリル
（滴下した水量）２ｇ
【００５５】
上記台型実験装置を用いて、その中央部に設けた凹部に水を滴下して、２本のスリットを通して、滴下した水がどの程度台部から下方に排水されるか実験を行った。下記ＡとＢの場合について、水の滴下前と後との台型実験装置全体の重さを計測して、水の排水量を比較した。なお、凹部に水を滴下した後、この水分が蒸発するのを防ぐため、凹部をアクリル板で覆って構造用合板１１０の代替とし、蒸発を防止した。
・実験Ａ（発泡スチロール製断熱材１２の排水性能実験）：
凹部に直接水を滴下し、７０時間５０分経過する前後の台型実験装置全体の重さを計測した。
・実験Ｂ（吸水性繊維２２の排水性能実験）：
吸水性繊維２２を凹部にセットして、吸水性繊維２２の両端を２本のスリットに通して図８（ｃ）のように下方に垂下させ、凹部にセットした吸水性繊維２２の中央付近に水を滴下し、２１時間３０分経過する前後の台型実験装置全体の重さを計測した。
【００５６】
１０種類程度の吸水性繊維２２について上記Ｂの排水試験を行ったが、以下に１００％ポリエステル製の吸水性繊維２２に対する排水性能実験Ｂと発泡スチロール製断熱材１２の排水性能実験Ａの結果を示す。
【００５７】
【表１】
2019152011.tif 000003
【００５８】
以上のＡとＢの比較実験より、発泡スチロール製断熱材１２では滴下した水の大半（８５％）が凹部にそのまま残ってしまうのに対して、１００％ポリエステル製の吸水性繊維２２に吸収された水は略全て（９５％）が台部の下方に排水されることが確認できた。
【００５９】
以上、本発明に係る排水断熱パネル１０について説明したが、本発明は上記実施形態や実施例に限定されるものではない。本発明に係る排水断熱パネルを被覆物に装着する方法も様々な形態をとることが可能で、装着する被覆物に応じてパネル装着具を適宜選択可能である。また、本発明に係る排水断熱パネルを構成する発泡性合成樹脂材や断熱気泡シートなどの材料、材質、種類等も特に限定されず、その寸法、厚さも適宜変更可能である。
【００６０】
その他、本発明は、その主旨を逸脱しない範囲で当業者の知識に基づき種々の改良、修正、変更を加えた態様で実施できるものである。
【産業上の利用可能性】
【００６１】
本発明に係る排水断熱パネルは、主として床下剛床構造や、天井、壁などの建物等の構成物として用いて、これらの構成物に滞留する水分の排水に利用することができる。
【符号の説明】
【００６２】
１：本発明に係る排水剛床構造
１０：本発明に係る排水断熱パネル
１２：断熱材（断熱パネル）
１４：一面
１６：他面
１８：側端面
２０：排水層
２２：吸水性繊維
２２ａ：貼着部
２２ｂ：剰余部
１００：剛床構造
１０１：長方形状空隙部
１０２：土台
１０４：大引き
１０６：補助大引き（パネル請け）
１０８：横梁
１１０：構造用合板
１１２：断熱パネル
１１４：固定手段
１２０：布基礎
１２２：剛床束
【図１】
2019152011.tif 000004
【図２】
2019152011.tif 000005
【図３】
2019152011.tif 000006
【図４】
2019152011.tif 000007
【図５】
2019152011.tif 000008
【図６】
2019152011.tif 000009
【図７（ａ）】
2019152011.tif 000010
【図７（ｂ）】
2019152011.tif 000011
【図７（ｃ）】
2019152011.tif 000012
【図７（ｄ）】
2019152011.tif 000013
【図８】
2019152011.tif 000014
【図９】
2019152011.tif 000015
【図１０】
2019152011.tif 000016